(57)【要約】      （修正有）【課題】既存の建物の玄関近傍に容易に設置でき、不在時でも宅配物を受け取ることができ、盗難を防止でき、かつゴルフバックなどの長物や、折り畳みに適さない衣類などを受け取ることができる宅配ボックスを提供する。【解決手段】宅配ボックス１０が、玄関扉よりも全高が高い開閉扉１２と、開閉扉１２よりも全幅が大きい収容部１４と、を備える。宅配ボックス１０は、さらに電気錠１６、通電金具１８、及び制御装置を備える。制御装置は、住宅に設置されたインターホン及びこれを介して携帯端末機から指令信号を受信する受信部を有し、指令信号を受信して電気錠１６に解錠指令を出力し、通電金具１８から開信号を受信し次いで閉信号を受信したときに、電気錠１６に施錠指令を出力する。【選択図】図２
2020153177.tif 000002
【特許請求の範囲】
【請求項１】
住宅の玄関扉の外側近傍に独立して設置される宅配ボックスであって、
前記玄関扉よりも全高が高い開閉扉と、
その内側に設けられ前記開閉扉よりも全幅が大きい収容部と、
前記開閉扉を施錠指令により施錠し解錠指令により解錠する電気錠と、
前記開閉扉の開閉を感知して開信号又は閉信号を出力する通電金具と、
前記電気錠を制御する制御装置と、を備え、
前記制御装置は、前記住宅に設置されたインターホン及び当該インターホンを介して携帯端末機から指令信号を受信する受信部を有し、
（Ａ）前記指令信号を受信して、前記電気錠に解錠指令を出力し、
（Ｂ）前記開信号を受信し次いで前記閉信号を受信したときに、前記電気錠に施錠指令を出力する、宅配ボックス。
【請求項２】
前記開閉扉に近接して設けられ前記収容部と連通し前記開閉扉よりも全高が大きい縦長空間を備える、請求項１に記載の宅配ボックス。
【請求項３】
前記収容部は、前記開閉扉よりも全幅及び全高が大きく仕切りのない第１直方体空間であり、
前記縦長空間は、前記収容部に隣接し前記収容部より奥行きが小さい第２直方体空間であり、前記縦長空間の前面は前記収容部の前面より前方に位置する、請求項２に記載の宅配ボックス。
【請求項４】
前記第１直方体空間の前面に位置する前記開閉扉及び扉枠と、前記第１直方体空間の前面から背面までの一方の側面に位置する側面全面パネルと、他方の側面の前記第２直方体空間より奥側に位置する側面奥側パネルと、前記第１直方体空間及び前記第２直方体空間の底面に位置する底板と、を備える、請求項３に記載の宅配ボックス。
【請求項５】
前記第２直方体空間の前面に位置する前面パネルと、前記第２直方体空間の背面に位置する背面パネルと、前記第２直方体空間の前面から背面までの一方の側面に位置する側面前側パネルと、前記開閉扉より前方に張り出した側面張出パネルと、を備え、
前記側面前側パネルは前記背面パネルより後方に張り出しており、前記第２直方体空間の奥側外部に前記玄関扉よりも全高が高い外部長物収容空間を有する、請求項３に記載の宅配ボックス。
【請求項６】
前記インターホンは、親機とカメラ付き子機とからなり、
前記前面パネルは、前記開閉扉よりも前方に位置しており、
前記カメラ付き子機は、前記開閉扉の前面が、前記カメラ付き子機のカメラの撮影範囲に位置するように、前記前面パネルに設けられている、請求項５に記載の宅配ボックス。
【請求項７】
前記親機は携帯端末機と通信可能であり、前記携帯端末機により自宅への来訪者を前記親機から受信し、かつ前記制御装置に前記指令信号を出力する、請求項６に記載の宅配ボックス。
【請求項８】
前記住宅は集合住宅であり、
前記親機は、携帯端末機と通信可能であり、
前記携帯端末機は、自宅への来訪者を前記親機を介して受信し、かつ前記親機を介してメインエントランスのオートロックを解錠する、請求項６に記載の宅配ボックス。
【請求項９】
前記収容部は、その中間高さに取り外し及び高さ変更可能な棚板を有し、
前記棚板の下面に衣類を吊り下げ可能なハンガーレールを有する、請求項１に記載の宅配ボックス。
【請求項１０】
宅配物の受け取りを証するための受け取り認証手段を有する、請求項１に記載の宅配ボックス。
【請求項１１】
前記底板に設けられ前記底板を水平に保持するアジャスターを有する、請求項４に記載の宅配ボックス。
【請求項１２】
前記側面全面パネルと前記側面奥側パネルを前記住宅の外壁に固定する固定金具を有する、請求項４に記載の宅配ボックス。
【請求項１３】
全高が、実質的に梁下高さ又は天井までの高さである、請求項１に記載の宅配ボックス。
【発明の詳細な説明】
【技術分野】
【０００１】
本発明は、集合住宅や戸建て住宅用の宅配ボックスに関する。
【背景技術】
【０００２】
インターネットを通じて物やサービスを購入するネット通販の普及に伴い、宅配物の再配達の増加が問題となっている。
この問題を解決するために、マンションなどの集合住宅では、宅配ボックスをメインエントランス（共同玄関）に設置する場合がある。しかし、この場合、居住者（ユーザ）は、メインエントランスで宅配物を受け取り、それを自宅まで持ち帰る不便があった。特に高層住宅では、この不便は居住者に受入難かった。
また、戸建て住宅では、宅配ボックスの設置はまだ不十分な状況にある。
【０００３】
そこで、自宅に設置可能な宅配ボックスが提案されている（例えば、特許文献１〜３）。
また、特許文献４は、本発明に関連する先行文献である。
【０００４】
特許文献１の「宅配ボックス」は、玄関外壁の内側に収納部を形成し、この収納部に連通する開口部を玄関外壁に形成すると共に、この開口部にロック装置を備えた外扉を設けるものである。
【０００５】
特許文献２の「宅配ボックス」は、屋外に面する第１壁と屋内に配置された第２壁とを備える。第１壁には、入庫口と屋外扉が設けられ、第２壁には、出庫口と屋内扉が設けられる。
【０００６】
特許文献３の「配達物受取扉」は、板状の扉本体と、扉本体に取り付けられた宅配ボックスとを備える。宅配ボックスは、配達物を扉本体の表側から受け入れ可能であり、かつ表側からの配達物の出し入れを禁止するべく施錠可能になっている。
【０００７】
特許文献４の「集合用インターホン装置及びオートロック扉用の無線認証装置」は、登録予約情報発行部、機器登録部、及び無線認証部を備える。登録予約情報発行部は、住戸機から機器登録許可信号を受信し、スマートフォンの登録予約情報を発行して共同玄関機に表示させる。機器登録部は、登録予約情報に基づいた登録要求信号を受信してその送信元のスマートフォンの識別情報を登録する。無線認証部は、スマートフォンの識別情報を受信して登録されている識別情報と対照し、両者が一致していればオートロック扉の解錠信号を出力する。
【先行技術文献】
【特許文献】
【０００８】
【特許文献１】特開平１１−１３７４０７号公報
【特許文献２】特開２０１０−１９６２９５号公報
【特許文献３】特開２０１７−２１７４５３号公報
【特許文献４】特開２０１５−７４９３８号公報
【発明の概要】
【発明が解決しようとする課題】
【０００９】
集合住宅において宅配物を自宅で受け取るには、メインエントランスのオートロックを解錠して宅配者を集合住宅内に誘導する必要がある。それを解決する手段として、特許文献４が開示されている。
特許文献４の技術により、在宅の有無に関わらず、スマートフォンなどの携帯端末機を利用して、自宅への訪問者に対してメインエントランスのオートロックを解錠し、訪問者を集合住宅内に誘導することができる。
【００１０】
一方、特許文献３には、自宅の玄関先に宅配者が訪れた場合、スマートフォンなどの携帯端末機を利用して、玄関扉に設けられた宅配ボックスの錠を解錠し、宅配物を受け取る技術が開示されている。
従って、特許文献３，４の技術を組み合わせることで、集合住宅や戸建て住宅において、在宅の有無に関わらず自宅において宅配物を受け取ることができる。
【００１１】
しかし、特許文献１〜３の宅配ボックスの場合、宅配ボックスを建物に組み込むため、既存の建物の場合に追加工事が大がかりとなる。
また、特許文献１では宅配ボックスを例えば玄関扉の横に設け、特許文献２では玄関に隣接して設け、特許文献３では玄関扉に設けるため、宅配ボックスの幅及び高さが玄関扉と比較して小さい。
例えば特許文献３では、宅配ボックスが玄関扉に設けられるため、宅配ボックス自体が大きすぎると、玄関扉の開閉や玄関からの出入りに支障をきたすと共に、玄関扉に過大な荷重が掛かった場合、扉のヒンジが損傷する。
そのため、特許文献１〜３の宅配ボックスの場合、ゴルフバックなどの長物や、クリーニングした衣類など折り畳みに適さない宅配物を受け取ることができなかった。
【００１２】
本発明は、上述した問題点を解決するために創案されたものである。すなわち、本発明の目的は、既存の建物の玄関近傍に容易に設置でき、不在時でも宅配物を受け取ることができ、盗難を防止でき、かつゴルフバックなどの長物や、折り畳みに適さない衣類などを受け取ることができる宅配ボックスを提供することにある。
【課題を解決するための手段】
【００１３】
本発明によれば、住宅の玄関扉の外側近傍に独立して設置される宅配ボックスであって、
前記玄関扉よりも全高が高い開閉扉と、
その内側に設けられ前記開閉扉よりも全幅が大きい収容部と、
前記開閉扉を施錠指令により施錠し解錠指令により解錠する電気錠と、
前記開閉扉の開閉を感知して開信号又は閉信号を出力する通電金具と、
前記電気錠を制御する制御装置と、を備え、
前記制御装置は、前記住宅に設置されたインターホン及び当該インターホンを介して携帯端末機から指令信号を受信する受信部を有し、
（Ａ）前記指令信号を受信して、前記電気錠に解錠指令を出力し、
（Ｂ）前記開信号を受信し次いで前記閉信号を受信したときに、前記電気錠に施錠指令を出力する、宅配ボックスが提供される。
【発明の効果】
【００１４】
本発明によれば、宅配ボックスが住宅の玄関扉の外側近傍に独立して設置されるので、インターホンと連動させる配線工事をすることで、既存の建物の玄関近傍に容易に設置することができる。
【００１５】
また、制御装置が、インターホン及びインターホンを介して携帯端末機から指令信号を受信する受信部を有するので、在宅の有無に関わらず指令信号を受信して解錠指令を出力し、電気錠を解錠して宅配物を宅配ボックスにより受け取ることができる。
また、制御装置が、開信号を受信し次いで閉信号を受信したときに、電気錠に施錠指令を出力するので、宅配物の盗難を防止できる。
【００１６】
さらに、開閉扉が玄関扉よりも全高が高く、収容部は開閉扉よりも全幅が大きいので、ゴルフバックなどの長物や、クリーニングした衣類など折り畳みに適さない宅配物を宅配ボックスにより受け取ることができる。
【図面の簡単な説明】
【００１７】
【図１】マンション等の集合住宅に本発明の宅配ボックスを設置した例を示す平面図である。
【図２】宅配ボックスの水平断面図である。
【図３】宅配ボックスの正面図である。
【図４】収容部と縦長空間の説明図である。
【発明を実施するための形態】
【００１８】
以下、本発明の好ましい実施形態を添付図面に基づいて詳細に説明する。なお、各図において共通する部分には同一の符号を付し、重複した説明を省略する。
【００１９】
図１は、マンション等の集合住宅に本発明の宅配ボックス１０を設置した例を示す平面図である。
この図において、集合住宅の玄関扉１は、開放廊下２に面しており、宅配ボックス１０は、玄関扉１の外側近傍に独立して設置される。
玄関扉１の大きさは、例えば幅９００〜１０００ｍｍ、高さ１８００〜１９００ｍｍである。また、開放廊下２の幅は、玄関扉１の前面において例えば２５００〜２６００ｍｍ、最狭部において例えば１６００〜１８００ｍｍである。
【００２０】
住宅にはインターホン３と制御装置２０が設置されている。インターホン３は、親機３ａとカメラ付き子機３ｂとからなる
【００２１】
インターホン３の親機３ａは住宅の内部に設置される。親機３ａは、携帯端末機（スマートフォンなど）と通信可能であり、携帯端末機により自宅への来訪者を親機３ａから受信し、かつ指令信号Ｓ０を出力する。
またこの例で、携帯端末機により自宅への来訪者を親機３ａを介して受信し、かつ親機３ａを介してメインエントランスのオートロックを解錠できるようになっている。
【００２２】
カメラ付き子機３ｂは、この例では宅配ボックス１０（後述する前面パネル３２）に取付けられ、カメラ付き子機３ｂのカメラの撮影範囲に開閉扉１２の前面の開放廊下２が位置する。
この構成により、宅配ボックス１０の開閉扉１２を操作する人（宅配人）をカメラで撮影し確認することができる。
【００２３】
図２は、宅配ボックス１０の水平断面図であり、図３は宅配ボックス１０の正面図である。
図２と図３において、宅配ボックス１０は、開閉扉１２、収容部１４、及び、縦長空間１５を有する。
宅配ボックス１０の全高は、玄関扉１よりも大きく、玄関扉１の近傍に設置できるかぎりで、実質的に梁下高さ又は天井までの高さであることが好ましい。
【００２４】
開閉扉１２は、玄関扉１と同様に開放廊下２に面して位置し、玄関扉１よりも全高が高く設定されている。
この例で開閉扉１２の全高は２０００〜２１００ｍｍである。なお、開閉扉１２の全高はこの例に限定されず、宅配ボックス１０の全高に実質的に相当する高さであることが好ましい。
この構成により、宅配物の全長が玄関扉１の高さより長い場合であっても、宅配物を宅配ボックス１０の内部に収容することができる。
【００２５】
また、この例で開閉扉１２の全幅は５５０〜６００ｍｍであり、玄関扉１の幅より狭くなっている。しかし開閉扉１２の全幅は、玄関扉１と同等以上であってもよい。
【００２６】
図４は、収容部１４と縦長空間１５の説明図である。この図において（Ａ）は平面図、（Ｂ）は正面図である。
【００２７】
収容部１４は、宅配ボックス１０の内側に設けられ開閉扉１２よりも全幅が大きく設定されている。収容部１４は、開閉扉１２よりも全幅及び全高が大きく仕切りのない第１直方体空間１４ａである。
収容部１４の全幅又は奥行は、日本人の平均的な肩幅より大きく設定されている。
この構成により、収容部１４にクリーニングした衣類（例えば上着やコート）などを折り畳まずにハンガーレール２８（後述する）に吊るすことができる。
また、収容部１４にゴルフバックやスノボ板などを収容することができる。なお、必要な場合には、棚板２７（後述する）を取り外すこともできる。
【００２８】
縦長空間１５は、開閉扉１２に近接して設けられ収容部１４と連通し開閉扉１２よりも全高が大きく設定されている。
縦長空間１５は、収容部１４に隣接し収容部１４より奥行きが小さい第２直方体空間１５ａである。縦長空間１５の前面は収容部１４の前面より前方（開放廊下側）に位置する。
【００２９】
図４において、縦長空間１５は、インターホン等の配線空間である。
以下、「長物」とは、スキー板、釣竿など、全長が約１〜２ｍの物品を意味する。
【００３０】
この例で、収容部１４は、縦長空間１５と連通する部分を除く全面を開閉扉１２及び扉枠２１、側面全面パネル２３、側面奥側パネル２４、及び、底板２５で囲まれている。
これらは例えば塩ビシート張り鋼板又は塗装板であるのがよい。
【００３１】
開閉扉１２及び扉枠２１は、第１直方体空間１４ａの前面に位置する。第１直方体空間１４ａの背面は、住戸の外壁に近接して位置する。
側面全面パネル２３は第１直方体空間１４ａの前面から背面までの一方の側面（この図で右側面）に位置する。なお、住戸の外壁がクランクして近接する場合、側面全面パネル２３が無い場合もある。
側面奥側パネル２４は、他方の側面（この図で左側面）の第２直方体空間１５ａより奥側に位置する。
底板２５は、第１直方体空間１４ａ及び第２直方体空間１５ａの底面に位置する。
第１直方体空間１４ａ及び第２直方体空間１５ａの上面は、梁下もしくはキャンティスラブ下に位置する。
【００３２】
この例で、縦長空間１５は、収容部１４と連通する部分を除く全面を前面パネル３２、背面パネル３３、側面前側パネル３４、側面張出パネル３５、及び底板２５で囲まれている。なおこの例で底板２５は、収容部１４と共通である。
【００３３】
これらはいずれも例えば塩ビシート張り鋼板であるのがよい。また、前面パネル３２、側面前側パネル３４、及び側面張出パネル３５に、木目などの模様を付すことが好ましい。
【００３４】
前面パネル３２は、第２直方体空間１５ａの前面に位置する。この例で、前面パネル３２は、開閉扉１２及び扉枠２１よりも前方に位置している。またカメラ付き子機３ｂは、開閉扉１２の前面が、カメラ付き子機３ｂのカメラの撮影範囲に位置するように、前面パネル３２に設けられている。
背面パネル３３は、第２直方体空間１５ａの背面に位置する。
側面前側パネル３４は、第２直方体空間１５ａの側面前側に位置する。
側面張出パネル３５は、開閉扉１２より前方に張り出している。
この構成により、インターホン等の配線が容易にできる。
【００３５】
この例で、側面前側パネル３４は背面パネル３３より後方に張り出しており、第２直方体空間１５ａの奥側外部に玄関扉１よりも全高が高い空間７を有する。
空間７は、ＬＥＤライトで間接光として照らし、演出する空間である。
【００３６】
図３において、開閉扉１２と扉枠２１との間には、蝶番３８と取手部４０が設けられ、扉枠２１に対し開閉扉１２を前方に開閉できるようになっている。取手部４０は、例えばハンドル錠であり、人が取手部４０を手前に引くことで、開閉扉１２を開くことができる。
【００３７】
宅配ボックス１０の収容部１４は、その中間高さに取り外し及び高さ変更可能な棚板２７を有する。高さ変更のために棚板２７を支持するダボ（図示せず）が複数の高さに設置されている。
この棚板２７の大きさは例えば幅６００ｍｍ以上、奥行き５４０ｍｍ以上であり、その上に規定（例えば幅×高さ×奥行が５００ｍｍ×５００ｍｍ×５００ｍｍ）の大きさの段ボール箱を収容できるようになっている。
【００３８】
また、側面全面パネル２３と側面奥側パネル２４を住宅の外壁に固定する固定金具８を有する。固定金具８は、例えばＬ型アングルであり、パネル２３，２４の上下に設けることが好ましい。
この構成により、宅配ボックス１０を既存の建物にも設置可能であり、宅配ボックス１０の転倒を防止できる。なお既存の建物では、インターホンと連動させる配線工事が必要となる。
【００３９】
また、図３において、棚板２７の下面に衣類を吊り下げ可能な起倒式ハンガーレール２８を有する。この例でハンガーレール２８は、開閉扉１２に平行かつ水平に設置しているが、開閉扉１２に直交させてもよい。
ハンガーレール２８と底板２５との間隔（例えば１３００〜１５００ｍｍ）は、日本人の上着やコートの平均的な着丈より大きく設定されている。この構成により、ハンガーレール２８にクリーニングした衣類（例えば上着やコート）などを折り畳まずに吊るすことができる。
【００４０】
さらに、開閉扉１２の裏面には、好ましくは宅配物の受け取りを証するための受け取り認証手段２９が取り付けられている。受け取り認証手段２９は、例えば、印鑑と印鑑ポケットである。
この構成により、宅配業者が宅配物を宅配ボックス内に収納する際に、受け取り認証手段２９から印鑑を取り出し、受け取り印をおすことができる。
【００４１】
また、底板２５に設けられたアジャスター（図示せず）を有し、底板２５を水平に保持できるようになっている。
この構成により、既存の建物に宅配ボックス１０を容易に設置することができる
なお、図３において、４は新聞受け、５は表札である。
【００４２】
図２と図３において、宅配ボックス１０は、さらに、電気錠１６、及び通電金具１８を有する。
電気錠１６は、開閉扉１２と扉枠２１に設けられ、開閉扉１２を施錠指令Ｓ１により施錠し解錠指令Ｓ２により解錠する。
通電金具１８は、開閉扉１２と扉枠２１の間に設けられ、開閉扉１２の開閉を感知して開信号Ｓ３又は閉信号Ｓ４を出力する。
【００４３】
住宅に設置された制御装置２０は、記憶装置、演算装置を有する制御器（例えばマイクロコンピュータ）であり、電気錠１６を制御する。
制御装置２０は、さらに住宅に設置されたインターホン３及びインターホン３を介して携帯端末機（スマートフォンなど）から指令信号Ｓ０を受信する受信部２０ａを有する。
制御装置２０は、受信部２０ａにより指令信号Ｓ０を受信して、電気錠１６に解錠指令Ｓ２を出力する。
また、制御装置２０は、開信号Ｓ３を受信し次いで閉信号Ｓ４を受信したときに、電気錠１６に施錠指令Ｓ１を出力する。
【００４４】
上述した本発明の実施形態によれば、宅配ボックス１０が住宅の玄関扉１の外側近傍に独立して設置されるので、インターホンと連動させる配線工事をすることで、既存の建物の玄関近傍に容易に設置することができる。
【００４５】
また、制御装置２０が受信部２０ａを有し、インターホン３及びこれを介して携帯端末機（例えばスマートフォン）から指令信号Ｓ０を受信する。従って、居住者（ユーザ）は、在宅の有無に関わらず、インターホン３又はこれを介して宅配業者から連絡を受けたスマートフォンで、宅配ボックス１０に対し宅配物の受領を許可することができる。
この受領許可により、制御装置２０は指令信号Ｓ０を受信して解錠指令Ｓ２を出力し、電気錠１６を解錠すると共に、親機３ａを介してメインエントランスのオートロックを解錠する。
【００４６】
宅配業者は、解錠されたメインエントランスを通り、宅配ボックス１０の前まで宅配物を運び、次いで電気錠１６が解錠された開閉扉１２を開いて、宅配物を宅配ボックス内に収納する。
従った利用者（ユーザ）が不在時でも宅配物を受け取ることができる。
【００４７】
この際、開閉扉１２が玄関扉１よりも全高が高く、収容部１４は開閉扉１２よりも全幅が大きいので、ゴルフバックなどの長物や、折り畳みに適さない衣類などを宅配ボックス内に収納することができる。
【００４８】
宅配業者が開閉扉１２を開くことで、通電金具１８が開信号Ｓ３を出力する。
次いで、宅配物を宅配ボックス内に収納し、宅配業者が開閉扉１２を閉じると、通電金具１８が閉信号Ｓ４を出力し、制御装置２０が電気錠１６に施錠指令Ｓ１を出力する。
従って、宅配業者が開閉扉１２を閉じた後は、開閉扉１２が施錠されて自由に開閉できなくなり、第三者のいたずらや盗難を防止することができる。
なお、居住者（ユーザ）が宅配物を取り出す際は、インターホン３の親機３ａ、又はスマートフォンを用いていつでも電気錠１６を解錠することができる。なお、電気錠１６は物理キーでも解錠可能である。
【００４９】
また、宅配業者が宅配物を宅配ボックス内に収納する際に、受け取り認証手段２９から印鑑を取り出し、受け取り印をおすことができる。印鑑は、受け取り認証手段２９にワイヤ等で連結されており、誤って持ち帰らないようになっている。
また、上述した実施形態は、マンション等の集合住宅に限定されず、戸建て住宅にも同様に適用することができる。
【００５０】
なお、本発明の範囲は上述した実施形態に限定されず、特許請求の範囲の記載によって示され、さらに特許請求の範囲の記載と均等の意味および範囲内でのすべての変更を含むものである。
【符号の説明】
【００５１】
Ｓ０  指令信号、Ｓ１  施錠指令、Ｓ２  解錠指令、Ｓ３  開信号、Ｓ４  閉信号、
１  玄関扉、２  開放廊下、３  インターホン、３ａ  親機、３ｂ  カメラ付き子機、
４  新聞受け、５  表札、７  空間、８  固定金具、
１０  宅配ボックス、１２  開閉扉、１４  収容部、
１４ａ  第１直方体空間、１５  縦長空間、１５ａ  第２直方体空間、
１６  電気錠、１８  通電金具、２０  制御装置、２０ａ  受信部、２１  扉枠、
２３  側面全面パネル、２４  側面奥側パネル、
２５  底板、２７  棚板、２８  ハンガーレール、
２９  受け取り認証手段、３２  前面パネル、３３  背面パネル、
３４  側面前側パネル、３５  側面張出パネル、３８  蝶番、４０  取手部
【図１】
2020153177.tif 000003
【図２】
2020153177.tif 000004
【図３】
2020153177.tif 000005
【図４】
2020153177.tif 000006